(57)【要約】【課題】外から内容物の確認が可能な真空包装用の包装袋を提供すること。【解決手段】部分的に透明窓部（１１ａ）を有する印刷層（１１）を形成させたプラスチックフィルム（１０）と、少なくともバリア層（２１）とシーラント層（２２）とを有する透明複合フィルム（２０）とを、バリア層（２１）を内側にして接着層（３０）を部分的に介して貼り合わせた積層フィルム（１００）からなる包装袋（２００）であり、かつ、貼り合わせた部分以外に形成させる空間部（２０２が外気と連通している。プラスチックフィルム（１０）の材質はポリエステルフィルムが良い。【選択図】図１
2004175398.tif 000002
【特許請求の範囲】
【請求項１】
部分的に透明窓部を有する印刷層を形成させたプラスチックフィルムと、少なくともバリア層とシーラント層とを有する透明複合フィルムとを、バリア層を内側にして接着層を部分的に介して貼り合わせた積層フィルムからなる包装袋であり、
かつ、貼り合わせた部分以外に形成させる空間部が外気と連通していることを特徴とする、包装袋。
【請求項２】
前記プラスチックフィルムの材質がポリエステルフィルムであることを特徴とする、請求項１記載の包装袋。
【請求項３】
前記ポリエステルフィルムの厚さが１０μｍから３０μｍであることを特徴とする、請求項１又は２記載の包装袋。
【請求項４】
前記バリア層が無機化合物の薄膜を蒸着により設けたポリエステルフィルムであることを特徴とする、請求項１記載の包装袋。
【請求項５】
前記バリア層とシーラント層の間に、又はバリア層のシーラント層の反対側に、ポリエステルフィルム又はナイロンフィルムからなる中間層を設けたことを特徴とする、請求項１記載の包装袋。
【発明の詳細な説明】
【０００１】
【発明の属する技術分野】
本発明は、コーヒー、お茶などを包装する真空包装用の包装袋に関するものであり、特に部分的に透明性を付与して外から中身をみることができるようにした真空包装用の包装袋に関する。
【０００２】
【従来の技術】
従来、コーヒー、お茶などを包装する真空包装用の包装袋は、例えば、ポリエチレンテレフタレート（ＰＥＴ）フィルム／延伸ナイロン（ＯＮｙ）フィルム／アルミニウム箔（Ａｌ）／直鎖状低密度ポリエチレン（Ｌ−ＬＤＰＥ）樹脂のようなＡｌを使用した多層構成の複合フィルムから構成されており、Ａｌ等によって完全に遮断されて内容物は見えない構成であった。
【０００３】
そのため、豆、粉、葉などの内容物の形状、色等を見せた状態で包装袋が作製できないという問題があった。
【０００４】
【発明が解決しようとする課題】
本発明は、コーヒー、お茶などを包装する真空包装用の包装袋に関する以上のような問題を解決するためになされたもので、外から内容物の確認が可能な真空包装用の包装袋を提供することを課題とする。
【０００５】
【課題を解決するための手段】
本発明の請求項１の発明は、部分的に透明窓部を有する印刷層を形成させたプラスチックフィルムと、少なくともバリア層とシーラント層とを有する透明複合フィルムとを、バリア層を内側にして接着層を部分的に介して貼り合わせた積層フィルムからなる包装袋であり、かつ、貼り合わせた部分以外に形成させる空間部が外気と連通していることを特徴とする、包装袋である。
【０００６】
このように請求項１記載の発明によれば、印刷により部分的に不透明インキの部分的に透明窓部を有する印刷層を形成させたプラスチックフィルムと、少なくともバリア層とシーラント層とを有する透明複合フィルムとを、バリア層を内側にして接着層を部分的に介して貼り合わせた積層フィルムからなる包装袋であるので、包装袋に透明窓部が形成されているため、包装袋の外から内容物の確認ができる。
【０００７】
また、貼り合わせた部分以外に形成される空間部が外気と連通しているので、コーヒーの充填に適した包装袋である。
【０００８】
また、請求項２の発明は、請求項１の発明において、前記プラスチックフィルムの材質が、ポリエステルフィルムであることを特徴とする、包装袋である。
【０００９】
また、請求項３の発明は、請求項１又は２の発明において、前記ポリエステルフィルムの厚さが１０μｍから３０μｍであることを特徴とする、包装袋である。
【００１０】
このように請求項２又は３の発明によれば、プラスチックフィルムの材質が、ポリエステルフィルムであり、その厚さが１０μｍから３０μｍであるので、強靱できれいな包装袋が効率良く作製できる。
【００１１】
また、請求項４の発明は、請求項１の発明において、前記バリア層が無機化合物の薄膜を蒸着により設けたポリエステルフィルムであることを特徴とする、包装袋である。
【００１２】
このように請求項４の発明によれば、バリア層が無機化合物の薄膜を蒸着により設けたポリエステルフィルムであるので、透明性が付与され、包装袋に充填された内容物を包装袋の外から確認することができる。
【００１３】
また、請求項５の発明は、請求項１の発明において、前記バリア層とシーラント層の間に、又はバリア層のシーラント層の反対側に、ポリエステルフィルム又はナイロンフィルムからなる保護層を設けたことを特徴とする、包装袋である。
【００１４】
このように請求項５記載の発明によれば、バリア層とシーラント層の間に、又はバリア層のシーラント層の反対側に、ポリエステルフィルム又はナイロンフィルムからなる中間層を設けたので、包装袋はより強靱性が増し、折り曲げたり、輸送等の過酷な条件を課してもピンホール、破れ等が出ない。
【００１５】
【発明の実施の形態】
本発明の包装袋を一実施形態に基づいて以下に詳細に説明する。
図１は、本発明の包装袋に使用する積層フィルムの一実施例を示す、断面説明図である。
図１に示すように、本発明の包装袋に使用する積層フィルム（１００）は、部分的に透明窓部（１１ａ）を有する印刷層（１１）を形成させたプラスチックフィルム（１０）と、少なくともバリア層（２１）とシーラント層（２２）を有する透明複合フィルム（２０）とを、バリア層（２１）を内側にして接着層（３０）を部分的に介して貼り合わせた構成からなる。
【００１６】
プラスチックフィルム（１０）は、基材フィルムであり、充填時のシールによる耐熱性及びフィルム自体の腰の強さ等の理由から、ＰＥＴフィルムが好適に使用できる。
厚さは、１０〜３０μｍが良い。厚さが１０μｍ未満では、腰（張り）がなくなり、透明複合フィルムの真空包装後に生じる全面の凹凸を隠しにくくなり、かつ、美粧性（高級感）を損なうという不都合が生じ、厚さが３１μｍ以上になると、腰が強すぎて透明複合フィルムが真空包装された時の形状に追随できず、部分的に設けられた接着層が破壊され、剥がれてしまうという不都合を生じる。
【００１７】
プラスチックフィルム（１０）の上に形成させる印刷層（１１）は、可視光線や紫外線を遮蔽させるための不透明インキをグラビア印刷、オフセット印刷等の印刷法により形成させた層で、必要に応じて紫外線吸収剤等の添加物を加えても構わない。
【００１８】
印刷層（１１）はプラスチックフィルム（１０）の表面全面に形成させるのではなく、部分的に印刷層の形成されていない透明窓部（１１ａ）を、例えば、窓枠状に形成させておく。このことにより、コーヒー、緑茶等の充填物を袋を破ることなく、外から透明窓部（１１ａ）を通して目視により判別することができる。
【００１９】
透明複合フィルム（２０）を構成するバリア層（２１）は、ガスバリア性に優れ、透明である必要から、酸化アルミニウム、酸化ケイ素などの無機化合物の薄膜を物理蒸着あるいは化学蒸着などの蒸着法により２０〜１００ｎｍ程度の厚さに設けたＰＥＴフィルムが好ましく使用できる。ＰＥＴフィルムの厚さは６〜１５μｍ程度が好適に使用できる。
【００２０】
透明複合フィルム（２０）を構成するシーラント層（２２）としては、低密度ポリエチレンやポリプロピレン等のポリオレフィン系の樹脂が使用できるが、真空引きの際に生じる、内容物のシール部かみこみによるピンホール（エアリーク）を防ぎ、かつ、角底袋の天面シール部のシール性（薄いと埋まりきらずエアリークを生じ易く、厚いとシール温度設定を高めにする必要がある）等の理由から、厚さ５０〜１２０μｍ程度の直鎖状低密度ポリエチレン（Ｌ−ＬＤＰＥ）樹脂が好適に使用できる。
【００２１】
バリア層（２１）とシーラント層（２２）の貼り合わせ方法は、バリア層（２１）を構成するフィルムとシーラント層（２２）を構成するフィルムとを、二液反応型のポリウレタン樹脂系接着剤などを使用して貼り合わせるドライラミネート法や、シーラント層（２２）を構成する、例えば、Ｌ−ＬＤＰＥ樹脂を押出機でフィルム状に押出し、フィルムが溶融状態にあるうちにバリア層（２１）を構成する、例えは、無機化合物の薄膜を蒸着したＰＥＴフィルムを二液反応型のポリウレタン樹脂系接着剤などを介して貼り合わせる押出しラミネート法などが用いられる。
【００２２】
図２に示すように、バリア層（２１）とシーラント層（２２）の間に、又はバリア層（２１）のシーラント層（２２）の反対側に、保護層（２３）を設けた透明複合フィルムを使用しても良い。
保護層（２３）は、ＰＥＴフィルム又はナイロンフィルムを使用することが好ましい。保護層を設けることにより、透明複合フィルムの特に耐折り曲げ性がより向上し、ピンホールやクラックの発生が減少する。
ＰＥＴフィルムやナイロンフィルムの厚さは１５〜２５μｍ程度のものが好適に使用できる。
【００２３】
プラスチックフィルム（１０）と透明複合フィルム（２０）とは、プラスチックフィルム（１０）とバリア層（２１）を対向させてドライラミネート法などの貼り合わせ方法により、部分的に接着層（３０）を形成させ貼り合わせて積層フィルム（１００）とする。
部分的に接着層（３０）を形成させることにより、包装袋にした際、外観がフラットな感じがでて見栄えが良くなる。
【００２４】
こうして作製した積層フィルム（１００）から三方シール袋、四方シール袋、あるいは角底袋に製袋し、本発明の包装袋とする（図３参照）。
なお、空間部（２０２）は天地のシール部（２０１）以外に、図示してないが背シール部分に設けても良い。
真空包装などするため、プラスチックフィルム（１０）と透明複合フィルム（２０）とは、部分的に貼り合わせて見た感じがコーヒー豆の凹凸が外から見えにくくフラットな感じになるようにしてある。
【００２５】
【発明の効果】
上記のように、本発明の包装袋は、透明な窓枠が設けてあるので、充填された中身を外から見ることが可能で、美粧性が向上する。
【図面の簡単な説明】
【図１】本発明の包装袋に使用する積層フィルムの一実施例を示す、断面説明図である。
【図２】本発明の包装袋に使用する積層フィルムの別の実施例を示す、断面説明図である。
【図３】本発明の包装袋の一実施例を示す平面説明図である。
【符号の説明】
１０‥‥プラスチックフィルム
１１‥‥印刷層
１１ａ‥透明窓部
２０‥‥透明複合フィルム
２１‥‥バリア層
２２‥‥シーラント層
２３‥‥保護層
３０‥‥接着層
１００‥‥積層フィルム
２００‥‥包装袋
２０１‥‥シール部
２０２‥‥空間部
【図１】
2004175398.tif 000003
【図２】
2004175398.tif 000004
【図３】
2004175398.tif 000005